(57)【要約】【課題】従来の保安灯やLEDライトは、電源を供給するための電極部分が腐食して接触不良になり、機器としての寿命が短いこと、および1本ごとに電源を供給する必要があるため、接続・設置する際の取り扱いが煩雑なことが課題であった。【解決手段】ワイヤレス（非接触）給電システムを利用して露出電極の腐食による接触不良を無くし、機器としての寿命・耐久性を向上させる。また結合部分を回転自由な構造にし、複数本の細長い保安灯やLEDライトを１つの電源から点灯可能とすることにより、接続・設置する際の取り扱いを簡単にする。【選択図】図３
2017103098.tif 000002
【特許請求の範囲】
【請求項１】
ワイヤレス（非接触）給電システムを用いて、給電するための露出電極を無くし、結合部分が回転自由な構造で、縦続接続された複数本が１つの電源から点灯できることを特徴とするLEDチューブ・ライト
【発明の詳細な説明】
【技術分野】
【０００１】
本発明は、取り扱いが簡単で耐久性に富む、工事現場の保安灯、またはクリスマスの飾りなどに使われるLEDチューブ・ライトに関するものである。
【背景技術】
【０００２】
従来ある、工事現場などで使われる複数のLEDランプが内蔵された細長い保安灯、またはクリスマスの飾りなどに使われる、複数のLEDランプが接続された細長いロープ状のLEDライトは、1本ごとに電源を供給するためのAC電源ケーブルまたはACアダプタの直流出力ケーブルを、電気的なコネクタを介して接続するか、電池からの出力を接続する必要がある。
【０００３】
これらの保安灯やLEDライトは、雨ざらしの環境でも使われることが多いため、電気的なコネクタ部分の電極や電池と接する電極が腐食して接触不良になることが多く、機器としての寿命も短くなる欠点があった。
【０００４】
近年スマートフォンなどにワイヤレス（非接触）で給電できる、送電モジュールと受電モジュールからなるシステムが普及してきた。
【０００５】
これらワイヤレス給電システムでは、送電モジュールと受電モジュールがある程度（例えば５ｍｍ以内）接近していれば給電でき、電気的なコネクタ部分の電極が不要である。
【先行技術文献】
【特許文献】
【０００６】
【特許文献１】なし
【非特許文献】
【０００７】
【非特許文献１】なし
【発明の概要】
【発明が解決しようとする課題】
【０００８】
解決しようとする課題は、保安灯やLEDライトへ電源を供給するための電極部分が腐食して接触不良になり、機器としての寿命が短くなること、および1本ごとに電源を供給する必要があるため、接続・設置する際の取り扱いが煩雑なことである。
【課題を解決するための手段】
【０００９】
本発明は、ワイヤレス（非接触）給電システムを利用して電気的なコネクタ部分の電極や電池と接する電極を無くすと同時に、送電モジュールと受電モジュールとがお互い自由に回転できる構造とし、縦続接続された複数本の保安灯やLEDライトを１つの電源ケーブルから点灯できることを特徴とする。
【発明の効果】
【００１０】
電極を無くした結果電極の腐食による接触不良が無くなり、機器としての寿命・耐久性が向上する。また送電モジュールと受電モジュールとが自由に回転でき、複数本の細長い保安灯やLEDライトを１つの電源ケーブルから点灯できるので、接続・設置する際の取り扱いが簡単になる。
【図面の簡単な説明】
【００１１】
【図１】図１は本発明によるLEDチューブ・ライトの基本構成を示した1つ目の説明図（実施例１）である。
【図２】図２は送電モジュールと受電モジュールとを結合する部分の具体的な構造例を示した1つ目の説明図である。
【図３】図３は本発明によるLEDチューブ・ライトの構成方法を示した２つ目の説明図（実施例２）である。
【図４】図４は送電モジュールと受電モジュールとを結合する部分の具体的な構造例を示した２つ目の説明図である。
【図５】図５は送電モジュールと受電モジュールとを結合する部分の具体的な構造例を示した３つ目の説明図である。
【発明を実施するための形態】
【００１２】
送電モジュールと受電モジュールは、細長いLEDライトの左右端に各1個ずつ配置される。受電モジュールは、電源ケーブルに接続された送電モジュール、またはほかのLEDライトの送電モジュールと、自由に回転できる構造で結合される。この結果LEDライト同士の結合がねじれても、ねじれが容易に解消される。
【実施例１】
【００１３】
図１は、本発明であるLEDチューブ・ライトの基本構成を示した説明図（実施例１）である。送電モジュール１には電源ケーブル４から、例えば直流５Vの電力が供給される。送電モジュールはその電力を回路で交流電力に変換し、コイルを駆動する。送電モジュール１と受電モジュール２が近接していると、受電モジュール内部のコイルに交流電力が発生するので、その電力を回路で直流に変換する。このようにして、電源ケーブル４から供給された５V直流電力が、送電モジュール１から受電モジュール２へのワイヤレス（非接触）給電機能を経由して再び５Vの直流電力となり、保安灯、またはLED飾りライト３のランプを点灯させる。
【００１４】
図２は、図１の送電モジュール１と受電モジュール２を結合する部分の具体的な構造例を示した1つ目の説明図（断面図）である。この例では送電モジュール１Aと受電モジュール２Aは円盤状の形に作られている。円筒状の結合器の内部に送電モジュール１が固定されており、受電モジュール２は対向して回転自由な位置にある。受電モジュール２が結合器から抜け出るのを防ぐため、２〜４個のバネ作用を持つ保持用ツメ５を設けている。
【００１５】
送電モジュール１Aは送電モジュールコイル部１−１Aと送電モジュール回路部１−２Aからなり、受電モジュール２Aは受電モジュールコイル部２−１Aと受電モジュール回路部２−２Aからなる。
【００１６】
送電モジュールコイル部１−１Aと受電モジュールコイル部２−１Aが近接して向かい合っていれば、電磁誘導の原理で交流電力が伝送される。その位置関係を保ちつつお互い自由に回転できる構造としている。
【００１７】
さらに送電モジュール１Aと受電モジュール２Aが離反しないための保持用ツメ５は、バネを押し開けば受電モジュール２を簡単に取り出し分離できる構造としている。
【実施例２】
【００１８】
図３は、本発明であるLEDチューブ・ライトの２番目の実施方法を示した説明図（実施例２）である。図１に示した、片端に受電モジュール２の付いた保安灯、またはLED飾りライト３の反対側へ送電モジュール１を付け、受電モジュール２で受電・変換した直流電力でLEDランプを点灯させた後、残りの電力で反対側に付けた送電モジュール１を駆動させる。このように片端に受電モジュール２が、別の片端に送電モジュール１が付いている保安灯、またはLED飾りライト３を１つのユニットとして作れば、図３に示すように複数のユニットを縦続接続して、１つの電源ケーブル４から電力に余裕がある限りまとめて点灯させることも可能になり、複数本の細長いライトの設置、取り扱いが非常に簡単になる。
【００１９】
図４は図１の送電モジュール１と受電モジュール２を結合する部分の具体的な構造例を示した２つ目の説明図（断面図）である。送電モジュール１Bと受電モジュール２Bを円筒形に作り、対向させた全体を2個の連結カバー６に収めている。２個の連結カバー６同士には、らせん溝が切られており、ねじることにより連結できる。両モジュールのコイル部には磁心（コア）７を内蔵させ、電磁誘導の効率を高めている。両コイルをいわゆるつぼ型コアの中に入れた構造にすれば、さらに結合の効率を向上させることができる。
【００２０】
図５は図１の送電モジュール１と受電モジュール２を結合する部分の具体的な構造例を示した３つ目の説明図（断面図）である。送電モジュール１Cと受電モジュール２Cを同心円筒形で、かつそれぞれを凹形と凸形に作り、はめ込むように対向させた構造である。両モジュールの中心がずれにくい特徴がある。また両モジュールのコイル部が中心の磁心（コア）７の周りに重なって配置されるので、電磁誘導の結合効率を高めることが容易である。コイルの外周にも円筒形のコアを配置すればさらに結合効率を高めることが可能である。凹形のへこみ部分には水やゴミが溜りやすいので、結合を安定にするため、ゴミ出し穴８をいくつか設けることが有効である。このゴミ出し穴８は、両モジュールから出る熱を発散させるためにも有効である。
【産業上の利用可能性】
【００２１】
本発明を、工事現場で使われる細長い保安灯やクリスマスの飾りに使われるLEDライトなどへ適用すると、接触する電極無しで給電が可能となるので、電極の腐食による接触不良が無くなり、機器としての寿命・耐久性を飛躍的に向上させることができる。また結合部分が自由に回転できるので、細長い保安灯やLEDライトを接続・設置する際の取り扱いが非常に簡単になる。さらに１個の電源から縦続接続された複数のライトを点灯でき経済的かつ設置の自由度が増すので、利用価値が高い。
【符号の説明】
【００２２】
１    送電モジュール
１A    送電モジュール（図２）
１B    送電モジュール（図４）
１C    送電モジュール（図５）
１−１    送電モジュールコイル部
１−１A    送電モジュールコイル部（図２）
１−１B    送電モジュールコイル部（図４）
１−１C    送電モジュールコイル部（図５）
１−２    送電モジュール回路部
１−２A    送電モジュール回路部（図２）
１−２B    送電モジュール回路部（図４）
１−２C    送電モジュール回路部（図５）
２    受電モジュール
２A    受電モジュール（図２）
２B    受電モジュール（図４）
２C    受電モジュール（図５）
２−１    受電モジュールコイル部
２−１A    受電モジュールコイル部（図２）
２−１B    受電モジュールコイル部（図４）
２−１C    受電モジュールコイル部（図５）
２−１    受電モジュール回路部
２−１A    受電モジュール回路部（図２）
２−１B    受電モジュール回路部（図４）
２−１C    受電モジュール回路部（図５）
３    保安灯、またはLED飾りライト
４    電源ケーブル
５    保持用ツメ
６    連結カバー
７    磁心（コア）
８    ゴミ出し穴
【図１】
2017103098.tif 000003
【図２】
2017103098.tif 000004
【図３】
2017103098.tif 000005
【図４】
2017103098.tif 000006
【図５】
2017103098.tif 000007